(57)【要約】【課題】避難所において、比較的狭いスペースで簡易に多数のペットを集合させて収容することが可能な災害時のペット簡易避難ゲージを提供する。【解決手段】天井部、底部、及び４枚の側部を構成する耐水段ボール製のゲージ本体と、底パットと、扉とにより構成される避難ゲージの単体（ユニット）を、前記ゲージ本体、底パット、及び扉をそれぞれ平面状にしたまま所定箇所に複数ユニット分保存しておき、災害時に避難所等で前記各ユニット分のゲージ本体、底パット、及び扉を箱状に組み立てて避難ゲージの単体（ユニット）を製作し、該製作した各避難ゲージの単体（ユニット）を、少なくとも２個以上、上下に積層し、及び／又は、左右に隣り合うように組み付けて設置する。【選択図】  図１２
2019092404.tif 000002
【特許請求の範囲】
【請求項１】
天井部、底部、及び４枚の側部を構成する耐水段ボール製のゲージ本体と、底パットと、扉とにより構成される避難ゲージの単体（ユニット）が、前記ゲージ本体、底パット、及び扉をそれぞれ平面状にしたまま所定箇所に保存されており、災害時に避難所等で前記ゲージ本体、底パット、及び扉が組み立てられて箱状の避難ゲージ単体を構成することを特徴とする災害時のペット簡易避難ゲージ。
【請求項２】
前記扉は、内開き扉であり、窓を有し、該窓には、ネット（網）が貼られていることを特徴とする請求項１に記載の災害時のペット簡易避難ゲージ。
【請求項３】
前記ゲージ本体の天井部及び底部に紙管通し穴が形成されていることを特徴とする請求項１又は２に記載の災害時のペット簡易避難ゲージ。
【請求項４】
天井部、底部、及び４枚の側部を構成する耐水段ボール製のゲージ本体と、底パットと、扉とにより構成される避難ゲージの単体（ユニット）が、前記ゲージ本体、底パット、及び扉をそれぞれ平面状にしたまま所定箇所に複数ユニット分保存されており、災害時に避難所等で前記各ユニット分のゲージ本体、底パット、及び扉が箱状に組み立てられて避難ゲージの単体（ユニット）に製作され、該製作された各避難ゲージの単体（ユニット）が、少なくとも２個以上、上下に積層され、及び／又は、左右に隣り合うように組み付けられることを特徴とする災害時のペット簡易避難ゲージシステム。
【請求項５】
前記左右に隣り合う避難ゲージの単体（ユニット）は、設置時対向する側面同士が相互固定手段により組み付けられ、前記上下に積層される避難ゲージの単体（ユニット）は、下の避難ゲージの単体（ユニット）の天面と上の避難ゲージの単体（ユニット）の底面とが、前記相互固定手段又はそれとは別個の相互固定手段により相互に組み付けられることを特徴とする請求項４に記載の災害時のペット簡易避難ゲージシステム。
【請求項６】
天井部、底部、及び少なくとも１枚に扉を有する４枚の側部により構成される段ボール製のハウス本体が、前記天井部、底部、及び４枚の側部をそれぞれ平面状にしたまま所定箇所に保存されており、災害時に避難所等で前記天井部、底部、及び４枚の側部が組み立てられてハウス本体が製作され、該製作されたハウス本体内に請求項４又は５に記載の災害時のペット簡易避難ゲージシステム全体を収納することを特徴とする災害時のペット簡易避難ゲージハウス。
【請求項７】
天井部、底部、及び４枚の側部を構成する耐水段ボール製のゲージ本体と、底パットと、扉とにより構成される避難ゲージの単体（ユニット）を、前記ゲージ本体、底パット、及び扉をそれぞれ平面状にしたまま所定箇所に複数ユニット分保存しておき、災害時に避難所等で前記各ユニット分のゲージ本体、底パット、及び扉を箱状に組み立てて避難ゲージの単体（ユニット）を製作し、該製作した各避難ゲージの単体（ユニット）を、少なくとも２個以上上下に積層し、及び／又は、左右に隣り合うように組み付け設置することを特徴とする災害時のペット簡易避難ゲージシステムの構築方法。
【発明の詳細な説明】
【技術分野】
【０００１】
本発明は、災害時のペット簡易避難ゲージに関し、特に、単体のゲージとしても複数個のゲージを積層させた集合ゲージとしても使用可能な災害時のペット用簡易避難ゲージに関する。
【背景技術】
【０００２】
従来、地震・津波・火事等或いは大雨・洪水・土石流等による大災害の発生時には、例えば、学校の体育館・公民館等に避難所（施設）が開設され、当該災害の避難地区の住民（被災者）がこの避難所に集合し、数日から数か月に亘って避難生活を送る場合がある。しかしながら、このような避難所は、基本的には、被災者が避難するための場所であり、例えば、犬猫等のペットと一緒に避難してきた被災者は、ペットの鳴き声・糞尿等の臭いが他の避難者の迷惑になること等の理由から、当該避難所で避難生活を送ることができず、被災した家屋や自動車等の中で生活することを余儀なくされており、この結果、被災した家屋の倒壊、エコノミー症候群の発症等、二次災害による生命や身体の危険にさらされてしまう。やむを得ずペットと別れて避難所で生活する場合でも、被災者の心的ストレスの増加による体調の悪化も報告されている。また、被災地区に放置されたペットの野生化や、死亡したペットの腐乱による衛生上の問題等も発生している。
【０００３】
一方、従来、鉄道車両内等にペットを同伴するためのキャリーゲージ（例えば、特許文献１参照）や、自宅又は旅先でペットを一時的に収容しておくためのゲージ（例えば、特許文献２参照）が、提案されている。
【先行技術文献】
【特許文献】
【０００４】
【特許文献１】実用新案登録第３１３５２２２号公報
【特許文献２】実用新案登録第３１８８９８６号公報
【発明の概要】
【発明が解決しようとする課題】
【０００５】
上述した災害時のペットの問題を解決するためには、ペットも避難所で被災者と一緒に生活することができるのが望ましいが、被災者と同様に避難所の屋内に多数のペットを収容する場合には、上述した鳴き声・糞尿等の臭いによる他の避難者の迷惑の問題以外にも、多数のペットを収容するスペースをどのように確保するかという問題も生じる。このように、ペット同伴の避難者が共同の避難所内で他の避難者と共同生活をし難いという面や、多数のペット自身の避難生活場所の確保という面の双方の面からの問題点が指摘されるが、このような問題点を解決するアイデアは殆ど提案されていないのが実情である。例えば、上述した特許文献１、２等に記載のペット用ゲージは、主に小動物を単体（一匹）だけ運搬等できるように収容するものであり、避難場所等において、比較的狭いスペースにても多数のペットを簡易に集合させて収容し、或いは他の避難者に不快な思いをさせることなく、多くのペットを収容する等の工夫は一切見られない。そこで、災害時の避難所等において、比較的狭いスペースにても簡易に多数のペットを集合させて収容し、或いは他の避難者に不快な思いをさせることなく、多数のペットを同伴者の近くで収容することの可能な災害時のペット簡易避難ゲージの開発が切望されている。
【０００６】
本発明は、上述のような事情から為されたものであり、その目的は、上記の問題点を解消し、避難所等において、比較的狭いスペースにても簡易に多数のペットを集合させて収容し、或いは他の避難者に不快な思いをさせることなく、多数のペットを同伴者の近くで収容することの可能な災害時のペット簡易避難ゲージを提供することにある。
【課題を解決するための手段】
【０００７】
本発明者は、上記の問題点を解消できる新たなペット用ゲージの構造について鋭意研究を重ねた結果、所定箇所に複数の段ボール製ゲージを折り畳んだ状態で保存しておき、災害時に避難所等で前記複数の段ボール製ゲージをそれぞれ箱状に組み立てると共に、該組み立てた複数の段ボール製ゲージを、少なくとも２個以上上下に積層可能、且つ左右に隣り合うように設置可能な構造とすることで、避難所等で組み立てられ、且つ上下に積層され左右に隣り合うように設置された前記複数の段ボール製ゲージに複数のペットをそれぞれ収容することで、他の避難者に不快な思いをさせることなく、多数のペットを同伴者の近くで収容することが可能となることを見出した。
【０００８】
即ち、上記目的を達成するため、本発明の第１の様相に係る災害時のペット簡易避難ゲージは、天井部、底部、及び４枚の側部を構成する耐水段ボール製のゲージ本体と、底パットと、扉とにより構成される避難ゲージの単体（ユニット）が、前記ゲージ本体、底パット、及び扉をそれぞれ平面状にしたまま所定箇所に保存されており、災害時に避難所等で前記ゲージ本体、底パット、及び扉が組み立てられて箱状の避難ゲージ単体を構成することを特徴とする。
【０００９】
ここで、前記扉は、内開き扉であり、窓を有し、該窓には、ネット（網）が貼られているようにしても良い。
【００１０】
また、前記ゲージ本体の天井部及び底部に紙管通し穴が形成されているようにしても良い。
【００１１】
次に、上記目的を達成するため、本発明の第２の様相に係る災害時のペット簡易避難ゲージシシテムは、天井部、底部、及び４枚の側部を構成する耐水段ボール製のゲージ本体と、底パットと、扉とにより構成される避難ゲージの単体（ユニット）が、前記ゲージ本体、底パット、及び扉をそれぞれ平面状にしたまま所定箇所に複数ユニット分保存されており、災害時に避難所等で前記各ユニット分のゲージ本体、底パット、及び扉が箱状に組み立てられて避難ゲージの単体（ユニット）に製作され、該製作された各避難ゲージの単体（ユニット）が、少なくとも２個以上、上下に積層され、及び／又は、左右に隣り合うように組み付けられることを特徴とする。
【００１２】
ここで、前記左右に隣り合う避難ゲージの単体（ユニット）は、設置時対向する側面同士が相互固定手段により組み付けられ、前記上下に積層される避難ゲージの単体（ユニット）は、下の避難ゲージの単体（ユニット）の天面と上の避難ゲージの単体（ユニット）の底面とが、前記相互固定手段又はそれとは別個の相互固定手段により相互に組み付けられるのが好適である。
【００１３】
更に、上記目的を達成するため、本発明の第３の様相に係る災害時のペット簡易避難ゲージハウスは、天井部、底部、及び少なくとも１枚に扉を有する４枚の側部により構成される段ボール製のハウス本体が、前記天井部、底部、及び４枚の側部をそれぞれ平面状にしたまま所定箇所に保存されており、災害時に避難所等で前記天井部、底部、及び４枚の側部が組み立てられてハウス本体が製作され、該製作されたハウス本体内に請求項４又は５に記載の災害時のペット簡易避難ゲージシステム全体を収納することを特徴とする。
【発明の効果】
【００１４】
本発明によれば、避難場所等において、比較的狭いスペースにても簡易に多数のペットを集合させて収容し、或いは避難者に不快な思いをさせることなく、多数のペットを避難者の近くで収容することが可能となる。特に、本発明の災害時のペット簡易避難ゲージは、軽量で、丈夫であり、試作品を実地で試したところ、熱がこもらないことが分かった。例えば、外気３５℃でも内部は３１℃で、４℃低かった。反対に寒い外気の環境下では、内部の保温効果が得られることも分かっている。従って、ペットの居住空間の温度管理も容易になり、ペットのストレスも軽減できる。
【図面の簡単な説明】
【００１５】
【図１】本発明の第１の実施形態に係る災害時のペット簡易避難ゲージ（小・中型犬用ゲージ）の単体構成を示す斜視図である。
【図２】本発明の第１の実施形態に係る単体のペット簡易避難ゲージ（小・中型犬用ゲージ）の本体部の展開図であり、特に、空気口つきの変形例の展開図である。
【図３】本発明の第１の実施形態に係る単体のペット簡易避難ゲージ（小・中型犬用ゲージ）の本体以外の部分の展開図であり、（Ａ）は、内開き扉、（Ｂ）は、底パット（２枚付）、（Ｃ）は、補強枠を、それぞれ示す。
【図４】図３に示した内開き扉と補強枠の組み付け方を示す図であり、（Ａ）は、内開き扉と補強枠を組み付けた状態の展開図、（Ｂ）は、内開き扉と補強枠を組み付けた後の折りたたみ時の斜視図を、それぞれ示す。
【図５】本発明の第１の実施形態の他の変形例（大型犬用ゲージ）に係る災害時のペット簡易避難ゲージ（単体）の展開図であり、（Ａ）は、本体部（２ピースに分割）、（Ｂ）は、底パット（２枚）、（Ｃ）は、内開き扉を、それぞれ示す。
【図６】本発明の第１の実施形態の他の変形例（大型犬用ゲージ）における内開き扉と補強枠の組み付け方を示す図であり、（Ａ）は、内開き扉と補強枠を組み付けた状態の展開図、（Ｂ）は、内開き扉と補強枠を組み付けた後の折りたたみ時の斜視図を、それぞれ示す。
【図７】本発明の第１の実施形態に係る災害時のペット簡易避難ゲージ単体（ユニット）の組み立て方法を示す第１の工程図である。
【図８】本発明の第１の実施形態に係る災害時のペット簡易避難ゲージ単体（ユニット）の組み立て方法を示す第２の工程図である。
【図９】本発明の第１の実施形態に係る災害時のペット簡易避難ゲージ単体（ユニット）の組み立て方法を示す第３の工程図である。
【図１０】本発明の第１の実施形態に係る災害時のペット簡易避難ゲージ単体（ユニット）の組み立て方法を示す第４の工程図である。
【図１１】本発明の第２の実施形態（紙管通し）に係る災害時のペット簡易避難ゲージの単体（ユニット）を上下に３個積層させたシステムとして構成し、それぞれ扉を付けていない状態示す斜視図である。
【図１２】本発明の第２の実施形態（紙管通し）に係る災害時のペット簡易避難ゲージの単体（ユニット）を上下に３個積層させ、左右に２個組み付け、合計６個のシステムとして完成させた状態示す斜視図である。
【図１３】本発明の第１又は第２の実施形態に係る災害時のペット簡易避難ゲージ単体又はシステムにおいて、ゲージごとに貼る「おなまえラベル」の一例を示す図である。
【図１４】本発明の第３の実施形態（ハウス収納避難ゲージシステム）の正面図であり、避難ゲージの単体（ユニット）を上下に３個積層させ、左右に３個組み付け、合計９個のシステムとして構成した全体を、更に、ハウスに収納した状態を示す。
【図１５】本発明の第３の実施形態（ハウス収納避難ゲージシステム）のうちハウス部分の展開図であり、（Ａ）は、本体正面部、（Ｂ）は、本体背面部、（Ｃ）は、本体右側面部、（Ｄ）は、本体左側面部を、それぞれ示す。
【図１６】本発明の第３の実施形態（ハウス収納避難ゲージシステム）のうちハウス部分の展開図であり、（Ａ）は、底板部、（Ｂ）は、天板部を、それぞれ示す。
【発明を実施するための形態】
【００１６】
上述したように、本発明者は、災害時における避難所でのペット同伴の問題点を解消し、ペットも避難所で一緒に避難生活をする方法を検討した。２０１０年度の内閣府の調査によれば、現在における一般的なペットの比率は、犬５８．６％、猫３０．９％と、犬猫だけで全体の８９．５％を占めている。そこで、以下の実施形態では、避難ゲージのターゲットを犬猫に絞り、避難所で組み立て設置可能な避難ゲージの製作を企図した。その材質としては、軽量で丈夫、処分も簡単な段ボール製ゲージとした。
【００１７】
以下、図面を参照しつつ、本発明の第１の実施形態について詳細に説明する。本発明の第１の実施形態は、単体構成のペット簡易避難ゲージである。尚、本実施形態のペット簡易避難ゲージとしては、大型と小・中型の２種類を用意したが、ここでは、小・中型の避難ゲージを中心に説明する。
【００１８】
図１は、本発明の第１の実施形態に係る災害時のペット簡易避難ゲージ（小・中型犬用ゲージ）の単体構成を示す斜視図である。図２は、本発明の第１の実施形態に係る単体のペット簡易避難ゲージ（小・中型犬用ゲージ）の本体部の展開図であり、特に、空気口つきの変形例の展開図である。図３は、本発明の第１の実施形態に係る単体のペット簡易避難ゲージ（小・中型犬用ゲージ）の本体以外の部分の展開図であり、（Ａ）は、内開き扉、（Ｂ）は、底パット（２枚付）、（Ｃ）は、補強枠を、それぞれ示す。図４は、図３に示した内開き扉と補強枠の組み付け方を示す図であり、（Ａ）は、内開き扉と補強枠を組み付けた状態の展開図、（Ｂ）は、内開き扉と補強枠を組み付けた後の折りたたみ時の斜視図を、それぞれ示す。
【００１９】
本発明の第１の実施形態に係るペット簡易避難ゲージ（小・中型犬用ゲージ）１００の単体としての寸法は、長さ５３ｃｍ×幅５３ｃｍ×高さ５０ｃｍとし、形状は、図１に示すように、Ａ式段ボール（ミカン箱タイプ）とした。また、材質としては、全て耐水段ボールを使用し、収容したペットの糞尿による段ボールの劣化を抑制するようにしている。即ち、本発明の第１の視点として、災害時のペット簡易避難ゲージの単体（ユニット）或いは後述するように、単体（ユニット）を複数組み付けたシステムとして構成するに当たり、それぞれを段ボール製とし、段ボール箱のように畳んだ状態で用意しておいた本体等を現場で組み立てて用いることで、比較的簡単且つ低コストな上に、災害に備えての備蓄性に優れ、避難終了後の廃棄も容易な簡易避難ゲージ（ユニット）及びシステムを構成することができる。
【００２０】
また、本実施形態のペット簡易避難ゲージ１００では、特に、防水加工を施した耐水段ボールを使用しているため、水に強く、耐圧強度は、６３０Ｋｇｆ（約６１７８Ｎ）程度のものを使用している。更に、上述したように、段ボール製で折り畳みができるため、避難施設等にコンパクトに収納可能である。尚、重さは約１．６ｋｇと軽いものであり、みかん箱タイプなので、誰でも簡単に組み立てられる。更に、防音・防臭効果があり、段ボール製なので手軽に処分（リサイクル）できるというメリットがある。
【００２１】
ここで、本発明の最大の利点である、段ボール箱のように畳んだ状態で用意しておいた本体等を現場で組み立てて用いる構成について述べる。即ち、本実施形態のペット簡易避難ゲージ１００は、図２及び図３（Ａ）（Ｂ）（Ｃ）に示すように、天井部１０２ａ、底部１０２ｂ、及び４枚の側部１０２ｃを構成する耐水段ボール製のゲージ本体１０２と、底パット１０４と、扉１０６と、補強枠１０７により構成される避難ゲージの単体（ユニット）が、ゲージ本体１０２、底パット１０４、扉１０６、及び補強枠１０７を、図２及び図３に示すように、それぞれ平面状にしたまま、例えば、災害時の避難所として予定されている施設の倉庫内等の所定箇所に保存されており、災害時に避難所等でゲージ本体１０２、底パット１０４、扉１０６、及び補強枠１０７が組み立てられて箱状の避難ゲージ１００（の単体）を構成するようにして用いる。
【００２２】
ここで、扉１０６は、内開き扉であり、窓１０６ａを有し、窓１０６ａには、図３（Ａ）に示すネット（網）１０６ｎが貼られている。即ち、扉１０６は２枚の段ボール部材を重ねて貼ることで形成され、図３（Ａ）に示す内開き扉本体１０６Ｂ（窓１０６ａを有する）に矩形の開口にネット（網）１０６ｎが貼られた内貼り部材１０６Ｕを重ねて貼ることで形成される。ここで、ネット（網）１０６ｎは、合成樹脂（プラスチック）製である。窓１０６ａにネット（網）１０６ｎを貼るのは、ペットの視界を遮ることを防ぐので、ペットの不安を軽減できるからである。また、ネット（網）１０６ｎを目の細かいものにすることで、ペットの爪や歯が引っ掛かり難いようにできるからである。また、扉１０６を内開き扉としたのは、内側にのみ開くが、ゲージ本体１０２正面の扉用の開口部の周囲の枠部１０２Ｗに当接して、この枠部１０２Ｗが扉の外側への抜け落ちを防止するストッパーとして機能することで、外側には開かないようにするためであり、これによりペットが体当たり等してもその脱出を有効に防止することができる。また、図２に示すように、例えば、本実施形態の変形例として、ゲージ本体１０２の天井部１０２ａ及び底部１０２ｂに紙管通し穴１０２ｈが形成されているようにしても良い。尚、図１及び図２に示すように、ゲージ本体１０２の側部１０２ｃには、空気穴１０２ｄが開けられている。ネット（網）が貼られた窓１０６ａに加え、これら空気穴１０２ｄが形成されていることにより、ゲージ内に収容されるペットの呼吸が楽になる上に、ゲージ内外の換気性を高めている。
【００２３】
また、図１に示すように、内開きの扉１０６には、その中央に破線で示す折れ曲がり部１０６ｂを形成している。また、破線で示す折れ曲がり部１０６ｂの右上部には、円形の貫通穴１０６kが形成されている。この円形の貫通穴１０６kは、飼い主等がゲージ内のペットの様子を観察するのにも役立つし、この円形の貫通穴１０６kに指を掛けて、扉１０６を内側に開くことができる。補強枠１０７は、図３（Ｃ）に示すように、展開図の状態では、破線で示す２本の折り曲げ線で区切られた３つの正方形の補強枠部材１０７ａ、１０７ｂ、１０７ｃから成り、補強枠部材１０７ａと１０７ｃが２つの側面部１０２ｃに対応し、補強枠部材１０７ｂが天井部１０２ａに対応しており、破線で示す２本の折り曲げ線に沿って９０度折り曲げられることにより、ブリッジ状に天井部１０２ａ及び、後述するように、その上に積載される他のゲージの荷重を支えるのに役立つと共に、これによりゲージ全体の強度を上げることができる。また、上側の天井部（フラップ）１０２aが、上からの重みで、ゲージの内側で折れて落ちてくるのを防ぐことができる。この補強枠１０７には、図４（Ａ）に示すように、あらかじめ扉１０６を貼り付けて用意され、図４（Ｂ）に示すように、扉１０６を貼り付けた状態で折り畳まれて、備蓄されるようになっている。
【００２４】
図５は、本発明の第１の実施形態の他の変形例に係る災害時のペット簡易避難ゲージ（単体）の展開図であり、（Ａ）は、本体部（２ピースに分割）、（Ｂ）は、底パット（２枚）、（Ｃ）は、内開き扉を、それぞれ示す。図６は、本発明の第１の実施形態の他の変形例における内開き扉と補強枠の組み付け方を示す図であり、（Ａ）は、内開き扉と補強枠を組み付けた状態の展開図、（Ｂ）は、内開き扉と補強枠を組み付けた後の折りたたみ時の斜視図を、それぞれ示す。
この第１の実施形態の他の変形例に係る災害時のペット簡易避難ゲージ（単体）は、大型犬用のものであり、図５（Ａ）に示すように、ゲージ本体１０２全体が２ピースに分割された状態で用意されている。また、図６（Ａ）（Ｂ）に示すように、補強枠１０７があらかじめ扉１０６を貼り付けて用意され、扉１０６を貼り付けた状態で折り畳まれて、備蓄されるようになっているのは、図４（Ａ）（Ｂ）に示した小・中型犬用ゲージの場合と同様である。
【００２５】
ここで、図７乃至図１０を参照して、本発明の第１の実施形態に係る災害時のペット簡易避難ゲージ（単体）の組立方法を説明する。図７乃至図１０は、本発明の第１の実施形態に係る災害時のペット簡易避難ゲージ単体（ユニット）の組立方法を示す第１乃至第４の工程図である。まず、図７に示すように、図２に示した天井部１０２ａ、底部１０２ｂ、及び４枚の側部１０２ｃを含むゲージ本体１０２を、図２に示した左端ののり代１０２Ｌと右端部１０２Ｒを相互に接合糊（化学糊）で装着する等により、環状に組み立てる。図７には、この環状に組み立てた４枚のゲージ本体１０２部分のうち、正面側の２枚のみが示されている。尚、図２ではゲージ本体１０２の天井部１０２ａ及び底部１０２ｂに紙管通し穴１０２ｈが形成されているが、図７乃至図１０における組立方法の説明では、これらの紙管通し穴１０２ｈが無い例を用いて説明する。
【００２６】
次に、図８に示すように、図２に示した環状に組み立てた４枚のゲージ本体１０２部分の４枚の天井部１０２ａ及び底部１０２ｂのうち、まず、底部１０２ｂを折り込んでいく。続いて、図９に示すように、扉１０６を貼り付けた状態で折り畳まれていた補強枠１０７をブリッジ状に組み立てると共に扉１０６を正面に折り曲げた状態で、補強枠１０７と扉１０６をゲージ本体１０２内に入れる。即ち、図９に示すように、図２に示した環状に組み立てた４枚のゲージ本体１０２部分の４枚の天井部１０２ａを開いたままの状態で、扉１０６を正面に折り曲げた状態で補強枠１０７と扉１０６を、上側からゲージ本体１０２内に挿入して装着する。このように、組み立て時は、補強枠１０７と扉１０６を一度にゲージ本体１０２内に入れられる。その後、図１０に示すように、上側の天井部（フラップ）１０２aを閉めてガムテープＧで封止した後、底パット１０４を敷くようにする。即ち、まず、４枚の天井部１０２ａのうち、左右の２枚を閉じて図示しないガムテープにより固定し、更に、図１０に示すように、残りの前後の２枚も閉じて中央部の１箇所をガムテープＧにより固定する。続いて、ゲージ本体１０２内の底に、図３（Ｂ）に示した２枚の底パット１０４を、その中央の折り曲げ線１０４Ｌに沿ってやや折り曲げた状態で、それぞれゲージ本体１０２正面の扉用の開口部からゲージ本体１０２内の底にそれぞれ挿入して敷くようにする。尚、本実施形態では、２枚の底パット１０４を重ねてゲージ本体１０２内の底に敷くようにしている。これにより、収容したペットの糞尿によるゲージ本体１０２の段ボールの劣化を抑制することができるだけでなく、糞尿の掃除時に、併せて底パット１０４の１枚だけ、或いは必要に応じて２枚とも交換する等のメンテナンスが可能となる。尚、一方の上に敷く底パット１０４は、プラスチック段ボールから成り、防水性・耐久性が高められている。また、上に敷く側の底パット１０４は、プラスチック段ボールから成るので、汚れに強く、取替えが可能（排泄時の掃除も容易）である。尚、取替えパットはオプションで提供することができる。
【００２７】
尚、図９及び図１０では図示しないが、図３（Ａ）に示したように、扉１０６は２枚の段ボール部材を重ねて貼ることで形成され、内開き扉本体１０６Ｂ（窓１０６ａを有する）に矩形の開口にネット（網）１０６ｎが貼られた内貼り部材１０６Ｕを重ねて貼ることで形成されている。
【００２８】
以上の組立作業により、ペット簡易避難ゲージ１００の単体（ユニット）としての組立が完了する。
【００２９】
次に、本発明の第２の実施形態について述べる。即ち、本発明の第２の視点として、段ボール製のペット簡易避難ゲージの単体（ユニット）を段ボール箱のように畳んだ状態で複数セット用意しておき、災害時にそれぞれの単体（ユニット）を現場で組み立て、更に、これら組立た単体（ユニット）を複数個、上下に積層、及び／又は、左右に組み付けて用いることで、比較的簡単且つ低コストに、複数のペットを集合的に収納可能な避難ゲージシステムを構築することができる。
【００３０】
図１１は、本発明の第２の実施形態（紙管通し）に係る災害時のペット簡易避難ゲージの単体（ユニット）を上下に３個積層させたシステムとして構成し、それぞれ扉を付けていない状態を示す斜視図である。図１１に示すように、この第２の実施形態の実施例１では、上述した第１の実施形態の簡易避難ゲージの単体（ユニット）１００を上下に３個積層させた簡易避難ゲージシステム２００として構成している。尚、第２の実施形態の実施例１では、上述した第１の実施形態の簡易避難ゲージの単体（ユニット）１００のうち、紙管通しを有するものを積層して、システム２００全体で紙管通し構造を有するものとしている。即ち、上下に３個積層させた避難ゲージの単体（ユニット）を貫通して煙筒状の紙管２０２が挿通され、この紙管２０２には、３個に積層された各避難ゲージの単体（ユニット）１００内をそれぞれ換気できるように空孔２０２ｈが設けられている。尚、図示しないが、ソーラー電池等の電力で駆動可能なファンを紙管２０２の最上部２０２Ｔに取り付け、ファンにより換気性能を高めるようにしても良い。これにより収容されるペットの糞尿や体臭による臭気をより緩和できる上に、収容されるペットもより快適に避難生活を送ることができる。尚、上下に積層される避難ゲージの単体（ユニット）１００は、下側の避難ゲージの単体（ユニット）の天面と上側の避難ゲージの単体（ユニット）の底面とが、任意の相互固定手段により相互に固定されている（組み付けられている）。任意の相互固定手段には、例えば、ＰＰバンドや両面マジックテープ（登録商標）等が考えられる。これにより、簡易避難ゲージシステム２００全体としての安定性等が向上し、一部のペットが暴れた場合でも、避難ゲージの単体（ユニット）１００を３個積層させた簡易避難ゲージシステム２００が崩れてしまうのを防止することができる。尚、マジックテープ（登録商標）は、合成樹脂（プラスチック）製のものを用いても良い。
【００３１】
図１２は、本発明の第２の実施形態（紙管通し）に係る災害時のペット簡易避難ゲージの単体（ユニット）を上下に３個積層させ、左右に２個組み付け、合計６個のシステムとして完成させた状態示す斜視図である。図１２に示すように、この第２の実施形態の実施例２では、上述した第１の実施形態の簡易避難ゲージの単体（ユニット）１００を上下に３個積層させ、且つそれらを左右に２列組み付け、合計６個の簡易避難ゲージシステム２６０として構成している。尚、第２の実施形態の実施例２では、２列のそれぞれが第１の実施形態の簡易避難ゲージの単体（ユニット）１００のうち、紙管通しを有するものを積層して、システム２６０全体で２本の紙管通し構造を有するものとしている。尚、この第２の実施形態の実施例２では、上下に積層される避難ゲージの単体（ユニット）１００は、下側の避難ゲージの単体（ユニット）の天面と上側の避難ゲージの単体（ユニット）の底面とが、任意の相互固定手段により相互に固定されている（組み付けられている）のは、上述した第２の実施形態の実施例１と同様である。更に、左右に隣り合う避難ゲージの単体（ユニット）１００は、設置時対向する側面同士が、上記の相互固定手段又はそれとは別個の相互固定手段により相互に組み付けられている。この別個の相互固定手段には、例えば、ＰＰバンドや両面マジックテープ（登録商標）等が考えられる。即ち、この第２の実施形態の実施例２では、上下に積層される避難ゲージの単体（ユニット）１００は、下側の避難ゲージの単体（ユニット）の天面と上側の避難ゲージの単体（ユニット）の底面とが、例えばＰＰバンドにより相互に固定され、左右に隣り合う避難ゲージの単体（ユニット）１００は、設置時対向する側面同士が、同じように、例えばＰＰバンドにより相互に固定（組み付けられる）ようにしても良いし、一方は、ＰＰバンドで、他方は、両面マジックテープ（登録商標）等のように別個の固定手段を用いても良く、積層され、又は左右に組み合わされるゲージの数、或いは収納されるペットの重量等により適宜選択すれば良い。
【００３２】
図１３は、上述した本発明の第１又は第２の実施形態に係る災害時のペット簡易避難ゲージ単体１００又はシステム２００，２６０において、ゲージごとに貼る「おなまえラベル」の一例を示す図である。図１３に示す「おなまえラベル」に記載のような必要事項を記入し、裏面をシ−ル等に構成することにより、段ボール製の各避難ゲージ単体１００毎に簡単に貼り付けることが可能であり、これによりペットの管理や飼い主への連絡等、災害時のペットの管理が一層容易になる。
【００３３】
次に、本発明の第３の実施形態について述べる。即ち、本発明の第３の視点として、段ボール製のペット簡易避難ゲージの単体（ユニット）だけでなく、これらを複数集合的に囲うためのハウスをも畳んだ状態で用意しておき、災害時に避難ゲージの単体（ユニット）やそれらを積層等させたシステムだけでなく、ハウスも現場で組み立て、避難ゲージの単体（ユニット）を積層等させたシステム全体をハウスで囲うことにより、複数のペットを集合的に収納可能な上に、ハウスによりペットの鳴き声等をより防音できる上に、臭気のより有効な防止、更には、ハウス内に一部の飼い主が休息し、或いは寝泊り可能なスペースを設ける等により、より有効且つ安全な災害時のペットの避難体制を構築することができる。図１４は、本発明の第３の実施形態（ハウス収納避難ゲージシステム）の正面図であり、避難ゲージの単体（ユニット）を上下に３個積層させ、左右に３個組み付け、合計９個のシステムとして構成した全体を、更に、ハウスに収納した状態を示す。図１５は、本発明の第３の実施形態（ハウス収納避難ゲージシステム）のうちハウス部分の展開図であり、（Ａ）は、本体正面部、（Ｂ）は、本体背面部、（Ｃ）は、本体右側面部、（Ｄ）は、本体左側面部を、それぞれ示す。図１６は、本発明の第３の実施形態（ハウス収納避難ゲージシステム）のうちハウス部分の展開図であり、（Ａ）は、底板部、（Ｂ）は、天板部を、それぞれ示す。
【００３４】
本発明の第３の実施形態では、底部３０２ａ、天井部３０２ｂ、及び少なくとも１枚に扉を有する４枚の側部３０２ｃにより構成される段ボール製のハウス本体３０２が、底部３０２ａ、天井部３０２ｂ、及び４枚の側部３０２ｃをそれぞれ平面状にしたまま所定箇所に保存されており、災害時に避難所等で底部３０２ａ、天井部３０２ｂ、及び４枚の側部３０２ｃが組み立てられてハウス本体３０２が製作され、製作されたハウス本体３０２内に上述した第２の実施形態のペット簡易避難ゲージシステム全体を収納することで災害時のペット簡易避難ゲージハウス３００を構成するようにした。このように、ハウス本体３０２も現場で組み立て、避難ゲージの単体（ユニット）１００を積層等させたシステム２６０全体をハウス本体３０２で囲うことにより、複数のペットを集合的に収納可能な上に、ハウス構造により収容されたペットの鳴き声等をより防音できる上に、臭気のより有効な防止、更には、ハウス３００内に一部の飼い主が休息し、或いは寝泊り可能なスペースを設ける等により、より有効且つ安全な災害時のペットの避難体制を構築することができる。尚、図１５（Ａ）（Ｂ）の側部３０２ｃそれぞれの両側には、スリット３０２ｈが形成されており、このスリット３０２ｈに図１５（Ｃ）（Ｄ）の側部３０２ｃそれぞれの両側の突起３０２ｐを嵌め込むことで相互に組立がし易くなっている。また、図１６（Ｂ）の天井部３０２ｂの外縁部には、矩形の破線状に示されるように、スリット３０２ｊが形成されており、このスリット３０２ｊに図１５（Ａ）（Ｂ）（Ｃ）（Ｄ）の側部３０２ｃそれぞれの天井側の突起３０２ｒを嵌め込むことで相互に組立がし易くなっている。
【００３５】
本発明の実施形態のペット簡易避難ゲージ１００、システム２００，２６０、及びハウス３００によれば、以下のような顕著且つ特有の作用効果が得られる。
（１）ペットを同伴してきた被災者は、可愛がってきたペットと離れて避難生活することが無いので、当該被災者の心的ストレスが軽減され、安心感と癒し効果を与えることができる。また、避難所屋内の被災者群とは、別に屋外等に積層して設置された集合避難ゲージによりペットを集合させて居留させることができるので、ペット同伴で無かった被災者にとっても、例えば、子供を中心に、避難生活における癒し効果を与えることもできる。
（２）ペット同伴の被災者は、被災した家屋や自動車等の中で生活する必要が無くなるので、被災した家屋の倒壊、エコノミー症候群の発症等、二次災害による被災者の生命や身体に対する危険を軽減することができる。
（３）被災地区に放置されたペットによる被災者への被害を軽減することができる。即ち、ペットの野生化や、死亡したペットの腐乱による衛生上の問題、アレルギー問題、鳴き声・臭い等の問題を未然に防止することが可能である。
（４）飼い主とペットの双方とも避難場所を確保することができるので、飼い主とペットの双方のストレスが軽減される。
（５）避難所で屋外等に積層して設置された集合避難ゲージによりペットを集合させて管理することができるので、避難所の衛生面の管理もし易くなる。
（６）ペット簡易避難ゲージ１００、システム２００，２６０、及びハウス３００は、その殆どの構成部分が段ボール製なので、組立時には、設置するスペース等に合わせて不要な部分をカッターで切断し、更に、使用後又は入れ替え時には、本体部分をカッターで切断することで廃棄やリサイクルがし易いという大きな利点がある。尚、ここで、「入れ替え時」とは、災害時に備えて、例えば、５年間等の備蓄期間を設けておき、その期間経過により、それまで備蓄していたゲージ等は廃棄又は再利用し、新たに製作したゲージ等に入れ替えることも好適であり、そのような入れ替え時の廃棄やリサイクルも容易になるという意味である。
【産業上の利用可能性】
【００３６】
以上に述べた実施形態では、本発明を犬猫等の中型から大型のペットに適用したが、これに限られないのは、勿論である。本発明は、例えば、カメ・ハムスター等の比較的小型のペットを避難所に同伴する場合等にも適用することができる。また、簡易避難ゲージの単体（ユニット）１００を避難者が自宅に備蓄しておき、災害時に避難先で組立てて、例えば、自己の自動車内等で単独でペットを収容するようにして用いることも可能である。
【符号の説明】
【００３７】
１００  ペット簡易避難ゲージ、  １０２  ゲージ本体、１０２ａ  天井部、
１０２ｂ  底部、１０２ｃ  側部、  １０２ｄ  空気穴、１０２ｈ  紙管通し穴、
１０２Ｌ  のり代、  １０２Ｒ  右端部、１０２Ｗ  枠部、１０４  底パット、
１０４Ｌ  折り曲げ線、  １０６  扉、  １０６Ｂ  扉本体、１０６ａ  窓、
１０６ｂ  折れ曲がり部、１０６ｃ  扉ストッパー、  １０６ｇ のり代、
１０６ｎ  ネット（網）、  １０６Ｕ  内貼り部材、Ｇ  ガムテープ、
２００、２６０  簡易避難ゲージシステム、２０２  紙管、２０２ｈ  空孔、
２０２Ｔ  最上部、３００  ハウス、３０２ａ  底部、３０２ｂ  天井部、
３０２ｃ  側部、３０２  ハウス本体、３０２ｈ  スリット、  ３０２ｐ  突起、
３０２ｊ  スリット、３０２ｒ  突起
【図１】
2019092404.tif 000003
【図２】
2019092404.tif 000004
【図３】
2019092404.tif 000005
【図４】
2019092404.tif 000006
【図５】
2019092404.tif 000007
【図６】
2019092404.tif 000008
【図７】
2019092404.tif 000009
【図８】
2019092404.tif 000010
【図９】
2019092404.tif 000011
【図１０】
2019092404.tif 000012
【図１１】
2019092404.tif 000013
【図１２】
2019092404.tif 000014
【図１３】
2019092404.tif 000015
【図１４】
2019092404.tif 000016
【図１５】
2019092404.tif 000017
【図１６】
2019092404.tif 000018